【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
第１の画像を第２の画像に変換する方法であって、
前記第１の画像の中間色調レベルを決定することと、
マッピング関数および前記第１の画像の前記中間色調レベルに応じて変調値を決定することと、
前記変調値および前記マッピング関数に応じて前記第１の画像を前記第２の画像に変換することと
を含み、前記変換することは、前記変調値に基づいて前記第１の画像を縮小することを含み、前記縮小された第１の画像は、前記マッピング関数に基づいて前記第２の画像に変換される、方法。
【請求項２】
前記中間色調レベルは、黒レベルおよび白レベルに基づいて決定される、請求項１に記載の方法。
【請求項３】
前記中間色調レベルは、前記黒レベルおよび前記白レベルの（１）幾何平均および（２）対数平均のうちの一方として決定される、請求項２に記載の方法。
【請求項４】
前記黒レベルおよび前記白レベルは、ヒストグラムに基づいて決定される、請求項２に記載の方法。
【請求項５】
前記第１の画像の前記変換が前記第１の画像の黒領域の情報を前記第２の画像に保つように、前記変調値は決定される、請求項２に記載の方法。
【請求項６】
前記第１の画像内の前記黒レベルに対応する前記第２の画像内の符号語は閾値を超える、請求項５に記載の方法。
【請求項７】
前記第１の画像は、ビデオに含まれる複数の画像のうちの１つであり、前記変調値を前記決定することは、前記複数の画像のそれぞれについて実行され、前記複数の画像についての前記変調値は時間的に平滑化される、請求項１に記載の方法。
【請求項８】
前記変調値を前記決定することは、前記第２の画像で使用される符号語の数を実質的に最大化して、前記第１の画像内の前記中間色調レベルの周りの範囲を表す、請求項１に記載の方法。
【請求項９】
前記変調値を前記決定することは、前記マッピング関数の最も急勾配な傾きに応じる、請求項８に記載の方法。
【請求項１０】
前記マッピング関数は、ｇＢａ（ｚ）＝ＭＳＤＲｆ（ｚ）／ｆ（Ｐ／Ｂａ）として公式化され、ここで、Ｐは前記第１の画像のダイナミックレンジの上限であり、Ｂａは前記変調値であり、ＭＳＤＲは前記第２の画像のデータ範囲の上限であり、ｆ（）は関数である、請求項１に記載の方法。
【請求項１１】
前記ｆ（）関数はＳｌｏｇ関数である、請求項１０に記載の方法。
【請求項１２】
第１の画像を第２の画像に変換する装置であって、
前記第１の画像にアクセスするように構成された通信インターフェースと、
前記第１の画像の中間色調レベルを決定し、
マッピング関数および前記第１の画像の前記中間色調レベルに応じて変調値を決定し、かつ
前記変調値および前記マッピング関数に応じて前記第１の画像を前記第２の画像に変換する
ように構成された１つまたは複数のプロセッサと
を含み、前記プロセッサは、前記変調値に基づいて前記第１の画像を縮小し、かつ前記縮小された第１の画像を前記マッピング関数に基づいて前記第２の画像に変換するように構成されている、装置。
【請求項１３】
前記中間色調レベルは、黒レベルおよび白レベルに基づいて決定される、請求項１２に記載の装置。
【請求項１４】
前記変調値は、前記第２の画像で使用される符号語の数を実質的に最大化して、前記第１の画像内の前記中間色調レベルの周りの範囲を表すように決定される、請求項１２に記載の装置。
【請求項１５】
前記中間色調レベルは、前記黒レベルおよび前記白レベルの（１）幾何平均および（２）対数平均のうちの一方として決定される、請求項１３に記載の装置。
【請求項１６】
前記黒レベルおよび前記白レベルは、ヒストグラムに基づいて決定される、請求項１３に記載の装置。
【請求項１７】
前記変調値は、前記第１の画像の前記変換が前記第１の画像の黒領域の情報を前記第２の画像に保存するように決定される、請求項１３に記載の装置。
【請求項１８】
前記第１の画像内の前記黒レベルに対応する前記第２の画像内の符号語は閾値を超える、請求項１７に記載の装置。
【請求項１９】
前記第１の画像は、映像に含まれる複数の画像のうちの１つであり、前記１つまたは複数のプロセッサは、前記複数の画像のそれぞれについて前記変調値を決定するように構成され、前記複数の画像についての前記変調値は時間的に平滑化される、請求項１２に記載の装置。
【請求項２０】
実行されると、第１の画像を第２の画像に変換する方法を実施する命令を記憶している非一時的コンピュータ可読記憶媒体であって、前記方法は、
前記第１の画像の中間色調レベルを決定することと、
マッピング関数および前記第１の画像の前記中間色調レベルに応答して変調値を決定することと、
前記変調値および前記マッピング関数に応答して前記第１の画像を前記第２の画像に変換することと
を含み、前記変換することは、前記変調値に基づいて前記第１の画像を縮小することを含み、前記縮小された第１の画像は、前記マッピング関数に基づいて前記第２の画像に変換される、非一時的コンピュータ可読記憶媒体。
【手続補正２】
【補正対象書類名】明細書
【補正対象項目名】００７８
【補正方法】変更
【補正の内容】
【００７８】
当業者に明らかになるように、実装形態は、たとえば記憶または送信してもよい情報を運ぶようにフォーマットされた様々な信号を生成してもよい。この情報は、たとえば、方法を実行する命令または説明した実装形態のうちの１つによって生成されるデータを含んでもよい。たとえば、信号は、説明した実施形態のビットストリームを運ぶようにフォーマットしてもよい。たとえば、このような信号は、（たとえば、スペクトルの無線周波数部分を使用する）電磁波としてまたはベースバンド信号としてフォーマットしてもよい。フォーマットすることは、たとえば、データストリームを符号化することと、符号化されたデータストリームで搬送波を変調することとを含んでもよい。信号が運ぶ情報は、たとえば、アナログ情報またはデジタル情報であってもよい。知られているように、信号は、様々な別々の有線リンクまたは無線リンクを介して伝送してもよい。信号は、プロセッサ可読媒体に記憶してもよい。
［付記１］
第１の画像を第２の画像に変換する方法であって、前記第１の画像はＨＤＲ（高ダイナミックレンジ）画像であり、前記第２の画像はＳＤＲ（標準ダイナミックレンジ）画像であり、前記方法は、
前記第１の画像の中間色調レベルを決定することと、
マッピング関数および前記第１の画像の前記中間色調レベルに応じて変調値を決定すること（１１０）と、
前記変調値および前記マッピング関数に応じて前記第１の画像を前記第２の画像に変換すること（１２０）と
を含み、前記変換することは、前記変調値に基づいて前記第１の画像を縮小することを含み、前記縮小された第１の画像は、前記マッピング関数に基づいて前記第２の画像に変換される、方法。
［付記２］
前記中間色調レベルは、黒レベルおよび白レベルに基づいて決定される、付記１に記載の方法。
［付記３］
前記中間色調レベルは、前記黒レベルおよび前記白レベルの（１）幾何平均および（２）対数平均のうちの一方として決定される、付記２に記載の方法。
［付記４］
前記黒レベルおよび前記白レベルは、ヒストグラムに基づいて決定される、付記２に記載の方法。
［付記５］
前記第１の画像の前記変換が前記第１の画像の黒領域の情報を前記第２の画像に保つように、前記変調値は決定される、付記２に記載の方法。
［付記６］
前記第１の画像内の前記黒レベルに対応する前記第２の画像内の符号語は閾値を超える、付記５に記載の方法。
［付記７］
前記第１の画像は、ビデオに含まれる複数の画像のうちの１つであり、前記変調値を前記決定することは、前記複数の画像のそれぞれについて実行され、前記複数の画像についての前記変調値は時間的に平滑化される、付記１に記載の方法。
［付記８］
前記変調値を前記決定することは、前記第２の画像で使用される符号語の数を実質的に最大化して、前記第１の画像内の前記中間色調レベルの周りの範囲を表す、付記１に記載の方法。
［付記９］
前記変調値を前記決定することは、前記マッピング関数の最も急勾配な傾きに応じる、付記８に記載の方法。
［付記１０］
前記マッピング関数は、ｇＢａ（ｚ）＝ＭＳＤＲｆ（ｚ）／ｆ（Ｐ／Ｂａ）として公式化され、ここで、Ｐは前記第１の画像のダイナミックレンジの上限であり、Ｂａは前記変調値であり、ＭＳＤＲは前記第２の画像のデータ範囲の上限であり、ｆ（）は関数である、付記１に記載の方法。
［付記１１］
前記ｆ（）関数はＳｌｏｇ関数である、付記１０に記載の方法。
［付記１２］
第１の画像を第２の画像に変換する装置（８００）であって、前記第１の画像はＨＤＲ（高ダイナミックレンジ）画像であり、前記第２の画像はＳＤＲ（標準ダイナミックレンジ）画像であり、前記装置は、
前記第１の画像にアクセスするように構成された通信インターフェース（８５０）と、
前記第１の画像の中間色調レベルを決定し、
マッピング関数および前記第１の画像の前記中間色調レベルに応じて変調値を決定し、かつ
前記変調値および前記マッピング関数に応じて前記第１の画像を前記第２の画像に変換する
ように構成された１つまたは複数のプロセッサ（８１０）と
を含み、前記プロセッサは、前記変調値に基づいて前記第１の画像を縮小し、かつ前記縮小された第１の画像を前記マッピング関数に基づいて前記第２の画像に変換するように構成される、装置。
［付記１３］
前記中間色調レベルは、黒レベルおよび白レベルに基づいて決定される、付記１２に記載の装置。
［付記１４］
前記変調値を前記決定することは、前記第２の画像で使用される符号語の数を実質的に最大化して、前記第１の画像内の前記中間色調レベルの周りの範囲を表す、付記１２に記載の装置。
［付記１５］
付記１〜１１のいずれか一項に従って第１の画像を第２の画像に変換する命令を記憶している非一時的コンピュータ可読記憶媒体。